【手続補正書】
【提出日】平成23年9月21日(2011.9.21)
【手続補正１】
【補正対象書類名】特許請求の範囲
【補正対象項目名】全文
【補正方法】変更
【補正の内容】
【特許請求の範囲】
【請求項１】
受信側装置へ伝送するべくデータコンテナを調整するシステムであって、
通信ネットワーク内のノードに対してデュアルリンクを有し、前記ノードからデータコンテナを受信して調整し、前記ノードに対して調整済みデータコンテナを送り返すコンテナコンディショナと、
前記コンテナコンディショナと通信可能に連結された編集エンジンとを備え、
前記編集エンジンは、
前記データコンテナを調査して、望ましくない挿入を検出および除去し、各コンテナのコンテンツ状況を示すスクリーニングモジュールと、
前記データコンテナのコンテンツ要素の、前記データコンテナの各受信側装置の復号化装置への適合性を判定し、各コンテンツ要素の適合状況を示して、適合性のないコンテンツ要素については修正を施す適合モジュールと、
前記コンテナのコンテンツ状況と、前記適合状況とに応じて通知を生成し、前記通知を各データコンテナに追加して前記調整済みデータコンテナを生成するためのモジュールとを有するシステム。
【請求項２】
前記コンテナコンディショナに対して通信可能に連結され、複数のタイプの受信側装置の復号化装置に関する情報を保存した受信側装置データベースを、コンピュータでの読み取りが可能な媒体に保存したサーバコンピュータと、
前記コンテナコンディショナに対して通信可能に連結され、記憶装置内にデータを有する汎用ディクショナリで、かつ、コンテナのコンテンツ状況と適合状況との予め定義された組み合わせに対応する理解可能な符号化表示を提供する前記汎用ディクショナリに対してアクセスする演算装置とをさらに備える請求項１に記載のシステム。
【請求項３】
前記理解可能な表示は、
テキストと、
画像と、
符号化された音声信号と、
符号化された動画信号とを含む請求項２に記載のシステム。
【請求項４】
複数の要素を含むデータコンテナを処理する方法であって、
コンテナコンディショナにおいて前記コンテナを受信するステップと、
前記コンテナを解析して、送信側装置の識別子および前記コンテナの宛先となる受信側装置の識別子と、前記複数の要素における各要素の特性とを判定するステップと、
前記各要素をスクリーニングして、有害な挿入を除去して、前記除去の結果に応じて前記各要素にマーク付けをするステップと、
前記宛先となる受信側装置のうち、選択された受信側装置についての特徴を得るステップと、
前記特性の、前記選択された受信側装置に対する互換性を確認するステップと、
前記特性が前記選択された受信側装置に対して互換性を持たない場合に、前記各要素を前記選択された受信側装置に合わせるように適合化するステップと、
前記複数の要素のうちの前記各要素についての前記スクリーニングするステップおよび前記適合化するステップに基づいて、前記選択された受信側装置に対して特定の通知を生成するステップと、を備える方法。
【請求項５】
前記通知を前記コンテナに追加して、拡大されたコンテナを生成するステップと、
前記拡大されたコンテナを、前記コンテナコンディショナから前記選択された受信側装置へ送信するステップと、
前記通知を、前記コンテナコンディショナから前記送信側装置へ送信するステップと、をさらに備える請求項４に記載の方法。
【請求項６】
前記通知は、
テキスト、
画像、
符号化された音声信号、および
符号化された動画信号のうち少なくとも１つを含む請求項４に記載の方法。
【請求項７】
前記選択された受信側装置の特徴に応じて、前記拡大されたコンテナの許容可能なサイズを判定するステップと、
前記拡大されたコンテナの現在のサイズが前記許容可能なサイズを超過した場合、前記複数の要素のうち少なくとも１つの要素を、削除、圧縮、および変換のうちのどれかの対象となるべき候補として選択するステップと、をさらに備えることを特徴とする請求項５に記載の方法。
【請求項８】
前記コンテナコンディショナから前記選択された受信側装置への経路の状態を判断するステップと、
前記状態および前記選択された受信側装置の特徴に応じて、前記拡大されたコンテナの許容可能サイズを判定するステップと、
前記拡大されたコンテナの現在のサイズが前記許容可能なサイズを超過した場合、前記複数の要素のうち少なくとも１つの要素を、削除、圧縮、および変換のうちのどれかの対象となるべき候補として選択するステップと、をさらに備える請求項５に記載の方法。
【請求項９】
コンピュータ読み取り可能媒体に格納されているコンピュータ読み取り可能命令を備え、マルチメディアコンテナを調整する編集エンジンであって、
前記コンピュータ読み取り命令は、演算装置によって実行されると、前記演算装置に、
コンテナを受信させ、
前記コンテナの解析によって複数のコンテンツ要素を取得させ、
前記複数のコンテンツ要素の符号化フォーマットを判定させ、
各コンテンツ要素の点検による悪質な挿入の有無の検出させると共に、悪質な挿入が発見された場合には前記コンテンツ要素に対して補正を実行させ、
前記コンテナの第一受信側装置を識別させ、
前記第一受信側装置の復号化装置についての特徴を取得させ、
前記復号化装置に対する前記符号化フォーマットの互換性を判定させ、
前記補正および前記互換性に応じた、前記コンテナの適切な状況コードを形成させ、
前記適切な状況コードに応じて第一通知を合成させる編集エンジン。
【請求項１０】
前記コンピュータ読み取り可能命令はさらに、前記演算装置に、
前記符号化フォーマットの各々を調査させ、
特定の符号化フォーマットに関して、前記特定の符号化フォーマットの受容、前記特定の符号化フォーマットで符号化されたコンテンツ要素の、前記第一受信側装置が対応する復号化装置を有する新しい符号化フォーマットへの変換、および前記特定の符号化フォーマットで符号化されたコンテンツ要素の削除のうちのいずれか１つを選択させる請求項９に記載の編集エンジン。
【請求項１１】
前記コンピュータ読み取り可能命令は、前記演算装置に、複数の状況コードの各々についての理解可能な記述を複数の表示フォーマットで保存した汎用ディクショナリに対してアクセスさせることにより、前記演算装置に前記第一通知を合成させる請求項９に記載の編集エンジン。
【請求項１２】
実行されると前記演算装置に、
前記汎用ディクショナリによって提供された表示フォーマットを判定させ、
前記第一受信側装置の復号化装置に互換性のある少なくとも１つの表示フォーマットを選択させ、
前記汎用ディクショナリのコントローラに対して、前記少なくとも１つの表示フォーマットで前記適切な状況コードの記述を提供させるように命令させるコンピュータ読み取り可能命令をさらに備える請求項１１に記載の編集エンジン。
【請求項１３】
前記コンピュータ読み取り可能命令は、前記演算装置に、複数のタイプの受信側装置のうち各タイプの受信側装置の復号化装置に関する情報を保存した受信側装置データベースに対してアクセスさせることにより、前記復号化装置の特徴を取得させる請求項９に記載の編集エンジン。
【請求項１４】
前記コンピュータ読み取り可能命令はさらに、前記演算装置に、
前記コンテナの第二受信側装置を識別させ、
前記第二受信側装置の復号化装置についての特徴を取得させ、
前記第二受信側装置の前記復号化装置に対する前記符号化フォーマットの適合性を判定させ、
前記補正および前記適合性に応じて、前記コンテナの特定の状況コードを形成させ、
前記特定の状況コードに応じて第二通知を合成させる請求項９に記載の編集エンジン。
【請求項１５】
前記コンピュータ読み取り可能命令はさらに、前記演算装置に、
前記第一通知を含む前記コンテナの現在のサイズを判定させ、
前記第一受信側装置により規定されたサイズの上限を判定させ、
前記現在のサイズが前記サイズの上限を超過する場合に、予め設定された優先順位に応じて、前記複数のコンテンツ要素のうち１つを削除させ、
前記現在のサイズが前記サイズの上限を超過しない場合に、前記コンテナに前記第一通知を追加して第一拡大コンテナを生成させ、前記第一拡大コンテナを前記第一受信側装置へ送信させ、および前記コンテナの送信元へ前記第一通知を送信させる請求項１０に記載の編集エンジン。